(57)【要約】【課題】  被処理水の円滑な流下を確保することができる橋梁用排水装置を提供することである。【解決手段】  床版間の遊間に直交方向に延びるように配置され、透水性かつ弾力性を有する材料で形成された防塵材（１２）と、遊間を橋渡しするように垂下した状態で防塵材の下方に配置され、不透水性かつ弾力性を有する止水体（１４）と、止水体の端部に隣接した個所に、下方に延びるように取り付けられた排水管（１８）とを備え、防塵材を透過して止水体に収容された雨水を排水管を通して排水するように構成されていることを特徴とする橋梁用排水装置（１０）が提供される。【選択図】  図１
2011127297.tif 000002
【特許請求の範囲】
【請求項１】
橋梁用排水装置であって、
床版間の遊間に直角方向に延びるように配置され、透水性かつ弾力性を有する材料で形成された防塵材と、
前記遊間を橋渡しするように垂下した状態で前記防塵材の下方に配置され、不透水性かつ弾力性を有する止水体と、
前記止水体の端部に隣接した個所に、下方に延びるように取り付けられた排水管とを備え、
前記防塵材を透過して前記止水体に収容された雨水を前記排水管を通して排水するように構成されていることを特徴とする装置。
【請求項２】
橋梁用排水装置であって、
床版と橋台パラペットとの間の遊間に直角方向に延びるように配置され、透水性かつ弾力性を有する材料で形成された防塵材と、
前記遊間を橋渡しするように垂下した状態で前記防塵材の下方に配置され、不透水性かつ弾力性を有する止水体と、
前記止水体の端部に隣接した個所に、下方に延びるように取り付けられた排水管とを備え、
前記防塵材を透過して前記止水体に収容された雨水を前記排水管を通して排水するように構成されていることを特徴とする装置。
【請求項３】
前記防塵材がウレタンフォームで形成されていることを特徴とする請求項１又は２に記載された装置。
【請求項４】
前記止水体がゴムで形成されていることを特徴とする請求項１から請求項３までのいずれか１項に記載された装置。
【請求項５】
前記止水体が、取り付け金具を介して、ボルト又は溶接によって床版に取り付けられていることを特徴とする請求項１から請求項４までのいずれか１項に記載された装置。
【発明の詳細な説明】
【技術分野】
【０００１】
本発明は一般に、橋梁用排水装置に関する。より詳細には、本発明は、被処理水の円滑な流下を確保することができる橋梁用排水装置に関する。
【背景技術】
【０００２】
橋梁における排水処理は、伸縮装置の下方に樋を配置し、下方に延びた垂直管を樋に取り付けることにより、伸縮装置から樋及び垂直管を介して雨水等の被処理水を流すようになっているのが通常である。
【発明の開示】
【発明が解決しようとする課題】
【０００３】
しかしながら、雨水等の被処理水に混じって土砂も一緒に流下するため、樋に土砂が堆積して詰まってしまい、被処理水が円滑に流下しないという課題がある。
【０００４】
本発明は、このような状況に鑑みて開発されたものであって、被処理水の円滑な流下を確保することができる橋梁用排水装置を提供することを目的としている。
【課題を解決するための手段】
【０００５】
本願請求項１に記載の橋梁用排水装置は、床版間の遊間に直角方向に延びるように配置され、透水性かつ弾力性を有する材料で形成された防塵材と、前記遊間を橋渡しするように垂下した状態で前記防塵材の下方に配置され、不透水性かつ弾力性を有する止水体と、前記止水体の端部に隣接した個所に、下方に延びるように取り付けられた排水管とを備え、前記防塵材を透過して前記止水体に収容された雨水を前記排水管を通して排水するように構成されていることを特徴とするものである。
【０００６】
本願請求項２に記載の橋梁用排水装置は、橋台パラペットと床版との間の遊間に直角方向に延びるように配置され、透水性かつ弾力性を有する材料で形成された防塵材と、前記遊間を橋渡しするように垂下した状態で前記防塵材の下方に配置され、不透水性かつ弾力性を有する止水体と、前記止水体の端部に隣接した個所に、下方に延びるように取り付けられた排水管とを備え、前記防塵材を透過して前記止水体に収容された雨水を前記排水管を通して排水するように構成されていることを特徴とするものである。
【０００７】
本願請求項３に記載の橋梁用排水装置は、前記請求項１又は２の装置において、前記防塵材がウレタンフォームで形成されていることを特徴とするものである。
【０００８】
本願請求項４に記載の橋梁用排水装置は、前記請求項１から請求項３までのいずれか１項の装置において、前記止水体がゴムで形成されていることを特徴とするものである。
【０００９】
本願請求項５に記載の橋梁用排水装置は、前記請求項１から請求項４までのいずれか１項の装置において、前記止水体が、取り付け金具を介して、ボルト又は溶接によって床版に取り付けられていることを特徴とするものである。
【発明の効果】
【００１０】
本発明によれば、橋梁の伸縮性を確保しつつ、雨水等の被処理水を円滑に排水させることが可能になる。本発明の装置は、構造が簡単であるため、故障が少なく、メインテナンスが容易であるとともに、低コストで提供することができる。
【発明を実施するための最良の形態】
【００１１】
次に図面を参照して、本発明の好ましい実施の形態に係る橋梁用排水装置について詳細に説明する。本発明の好ましい実施の形態に係る橋梁用排水装置は、橋脚部Ａに設置される装置（第１の実施の形態）と、橋台部Ｂに設置される装置（第２の実施の形態）に大別される（図２参照）。
【００１２】
図１は、本発明の第１の実施の形態に係る橋梁用排水装置を示した斜視図、図３（ａ）は、図１の橋梁用排水装置の平面図、図３（ｂ）は、図３（ａ）の線３ｂ−３ｂに沿った断面図、図３（ｃ）は、図３（ａ）の線３ｃ−３ｃに沿った断面図である。図１において全体として参照符号１０で示される本発明の第１の実施の形態に係る橋梁用排水装置は、前後の床版の遊間に直角方向に延びるように配置された防塵材１２を備えている。
【００１３】
防塵材１２は、透水性かつ弾力性を有する材料で形成されている。防塵材１２としては、例えばウレタンフォームが使用される。防塵材１２を透水性材料で形成することにより、雨水のみを通過させ、土砂などの固形物を通過させないようにすることができる。また、防塵材１２を弾力性のある材料で形成することにより、遊間に隙間ができないように、遊間の伸縮に追従することができる。
【００１４】
橋梁用排水装置１０は又、前後の床版の遊間を橋渡しするように垂下した状態で、防塵材１２の下方に配置された止水体１４を備えている。
【００１５】
止水体１４は、不透水性かつ弾力性を有する材料で形成されている。止水体１４としては、例えばゴムが使用される。止水体１４を不透水性材料で形成することにより、防塵材１２を経て滴下した雨水を収容することができる。また、止水体１４を弾力性のある材料で形成することにより、遊間の伸縮に追従することができる。
【００１６】
止水体１４は、取付金具１６ａ及びボルト１６ｂを用いて前後の床版に堅固に固定されている。
【００１７】
止水体１４の端部には、遊間の伸縮（従って、止水体１４の伸縮）に追従することができるように、蛇腹状の蓋１４ａが取り付けられている。また、止水体１４には、端部に隣接した個所に、下方に延びた排水管１８が取り付けられている（図４参照）。これにより、止水体１４に収容された雨水が、排水管１８を通して排水されるようになっている。
【００１８】
図１及び図３は、遊間が小さく、かつ、止水体１４をボルト１６ｂで取り付けることができる場合を示したものである。図５は、図１及び図３に示された以外の場合における橋梁用排水装置１０を示した図である。すなわち、図５（ａ）は、遊間が小さく、かつ、止水体１４が溶接によって取り付けられる場合、図５（ｂ）は、遊間が大きく、かつ、止水体１４がボルト１６ｂによって取り付けられる場合、図５（ｃ）は、遊間が大きく、かつ、止水体１４が溶接によって取り付けられる場合をそれぞれ示した図である。
【００１９】
図６は、本発明の第２の実施の形態に係る橋梁用排水装置を示した斜視図、図７（ａ）は、図６の橋梁用排水装置の平面図、図７（ｂ）は、図７（ａ）の線７ｂ−７ｂに沿った断面図、図７（ｃ）は、図７（ａ）の線７ｃ−７ｃに沿った断面図、図８は、図６の橋梁用排水装置の分解斜視図である。図６において全体として参照符号２０で示される本発明の第２の実施の形態に係る橋梁用排水装置は、止水体の取付形状がほぼＵ字形に取り付けられる止水体１４と相違している点を除いて、橋梁用排水装置１０と実質的に同一の構成を有している。
【００２０】
より詳細に説明すると、橋梁用排水装置２０は、橋台パラペットと床版との間の遊間に直角方向に延びるように配置された防塵材２２と、遊間を橋渡しするように垂下した状態で、防塵材２２の下方に配置された止水体２４とを備えている。防塵材２２としては、ウレタンフォームのような透水性かつ弾力性を有する材料で形成されている。また、止水体２４としては、ゴムのような不透水性かつ弾力性を有する材料で形成されている。このように構成することにより、伸縮性を確保した状態で、円滑に排水することが可能になる。
【００２１】
図６及び図７は、遊間が小さく、かつ、止水体２４をボルト２６ｂで取り付けることができる場合を示したものである。図９は、図６及び図７に示された以外の場合における橋梁用排水装置２０を示した図である。すなわち、図９（ａ）は、遊間が小さく、かつ、止水体２４が溶接によって取り付けられる場合、図９（ｂ）は、遊間が大きく、かつ、止水体２４がボルト２６ｂによって取り付けられる場合、図９（ｃ）は、遊間が大きく、かつ、止水体２４が溶接によって取り付けられる場合をそれぞれ示した図である。
【００２２】
本発明は、以上の発明の実施の形態に限定されることなく、特許請求の範囲に記載された発明の範囲内で、種々の変更が可能であり、それらも本発明の範囲内に包含されるものであることはいうまでもない。
【００２３】
たとえば、前記実施の形態において示されている止水体１４、２４の形状（特に垂下した状態）や取り付け金具の個数や形状等は、単なる例示的なものであり、図示されたものに限定されるものではない。
【図面の簡単な説明】
【００２４】
【図１】本発明の第１の実施の形態に係る橋梁用排水装置の斜視図である。
【図２】橋梁の一般的な形態を示した模式図であって、本発明の橋梁用装置の概略的な設置個所を説明するための図である。
【図３】図３（ａ）は、図１の橋梁用排水装置の平面図、図３（ｂ）は、図３（ａ）の線３ｂ−３ｂに沿った断面図、図３（ｃ）は、図３（ａ）の線３ｃ−３ｃに沿った断面図である。
【図４】図１の橋梁用排水装置の分解斜視図である。
【図５】図１の橋梁用排水装置の変形形態を示した図３（ｂ）と同様な図である。
【図６】本発明の第２の実施の形態に係る橋梁用排水装置の斜視図である。
【図７】図７（ａ）は、図６の橋梁用排水装置の平面図、図７（ｂ）は、図７（ａ）の線７ｂ−７ｂに沿った断面図、図７（ｃ）は、図７（ａ）の線７ｃ−７ｃに沿った断面図である。
【図８】図６の橋梁用排水装置の分解斜視図である。
【図９】図６の橋梁用排水装置の変形形態を示した図７（ｂ）と同様な図である。
【符号の説明】
【００２５】
１０、２０  橋梁用排水装置
１２、２２  防塵材
１４、２４  止水体
１４ａ、２４ａ  蛇腹状の蓋
１６ａ、２６ａ  取り付け金具
１６ｂ、２６ｂ  ボルト
１８、２８  排水管
【図１】
2011127297.tif 000003
【図２】
2011127297.tif 000004
【図３】
2011127297.tif 000005
【図４】
2011127297.tif 000006
【図５】
2011127297.tif 000007
【図６】
2011127297.tif 000008
【図７】
2011127297.tif 000009
【図８】
2011127297.tif 000010
【図９】
2011127297.tif 000011